(57)【要約】【課題】複雑なビットイメージを表示することができ、かつ顧客に決済データを取得させることができる表示装置、表示装置の制御方法およびプログラムを提供すること。【解決手段】決済処理に伴って表示され、購入商品の商品名または商品コードと、商品価格とを含む表示用データを受信する受信手段と、表示用データの少なくとも一部をテキストデータとして表示するテキストデータ表示部７６と、表示用データの少なくとも一部をコード化したシンボル画像を表示するシンボル画像表示部７７と、受信した表示用データに、特定データが含まれるか否かを判別し、特定データを含むと判別した場合、表示用データの少なくとも一部に基づいてシンボル画像１１を生成し、表示用データの少なくとも一部をテキストデータとしてテキストデータ表示部７６に表示させると共に、生成したシンボル画像１１をシンボル画像表示部７７に表示させる。【選択図】図３
2008139943.tif 000002
【特許請求の範囲】
【請求項１】
決済処理に伴って表示され、購入商品の商品名または商品コードと、商品価格とを含む表示用データを受信する受信手段と、
前記表示用データの少なくとも一部をテキストデータとして表示するテキストデータ表示部と、
前記表示用データの少なくとも一部をコード化したシンボル画像を表示するシンボル画像表示部と、
受信した前記表示用データに、特定データが含まれるか否かを判別する判別手段と、
前記判別手段が、前記特定データを含むと判別した場合、前記表示用データの少なくとも一部に基づいてシンボル画像を生成するシンボル画像生成手段と、
前記表示用データの少なくとも一部を前記テキストデータとして前記テキストデータ表示部に表示させると共に、前記シンボル画像生成手段が生成した前記シンボル画像を前記シンボル画像表示部に表示させる表示制御手段と、を備えたことを特徴とする表示装置。
【請求項２】
前記シンボル画像表示部を回動自在に支持する支持台と、
前記支持台に対して前記シンボル画像表示部の回動角度を調整する角度調整手段と、をさらに備えたことを特徴とする請求項１に記載の表示装置。
【請求項３】
前記シンボル画像表示部に対する近接物を検知する検知手段と、
前記検知手段による検知結果に基づいて、前記シンボル画像表示部の輝度を調整する輝度調整手段と、をさらに備えたことを特徴とする請求項１または２に記載の表示装置。
【請求項４】
前記シンボル画像生成手段が前記シンボル画像を生成したとき、前記シンボル画像表示部への前記シンボル画像の表示を報知する報知手段をさらに備えたことを特徴とする請求項３に記載の表示装置。
【請求項５】
前記報知手段は、前記検知手段による前記近接物の検知に伴って、前記報知を停止することを特徴とする請求項４に記載の表示装置。
【請求項６】
決済処理に伴って表示され、購入商品の商品名または商品コードと、商品価格とを含む表示用データの少なくとも一部をテキストデータとして表示するテキストデータ表示部と、
前記表示用データの少なくとも一部をコード化したシンボル画像を表示するシンボル画像表示部と、を備えた表示装置の制御方法において、
前記表示装置が、
前記表示用データを受信するステップと、
受信した前記表示用データに、特定データが含まれるか否かを判別するステップと、
前記判別手段が、前記特定データを含むと判別した場合、前記表示用データの少なくとも一部に基づいてシンボル画像を生成するステップと、
前記表示用データの少なくとも一部を前記テキストデータとして前記テキストデータ表示部に表示させると共に、前記シンボル画像生成手段が生成した前記シンボル画像を前記シンボル画像表示部に表示させるステップと、を実行することを特徴とする表示装置の制御方法。
【請求項７】
コンピュータに、請求項６に記載の表示装置の制御方法における各ステップを実行させるためのプログラム。
【発明の詳細な説明】
【技術分野】
【０００１】
本発明は、購入商品の決済データに関する情報をディスプレイに表示する表示装置、表示装置の制御方法およびプログラムに関するものである。
【背景技術】
【０００２】
従来、顧客が、商品購入後に自宅の家計簿ソフト等に入力するため、レシートに印刷される決済データを、電子データで取得したいというニーズがあった。これに応えるため、商品の決済データを顧客の携帯端末に送信するＰＯＳ端末が知られている。このＰＯＳ端末は、予め顧客情報（メールアドレス等）を登録しておき、バーコードスキャナにより商品のバーコード情報を読み取り、読取ったバーコード情報から決済データを生成してレシートを発行すると共に、登録した顧客情報に基づいて顧客の携帯端末に決済データを送信している（特許文献１参照）。
【特許文献１】特開２００２−１５７６５１号公報
【発明の開示】
【発明が解決しようとする課題】
【０００３】
しかし、上記のＰＯＳ端末では、予め顧客のメールアドレス等の顧客情報をＰＯＳ端末に登録しておく必要があり、個人情報を提供したくない顧客は、決済データを電子データとして取得することができなかった。また、近年では、個人情報保護法の施行により、顧客情報を取り扱う店舗においては、顧客情報の漏洩を防止する必要があるため、顧客情報の管理が困難であるという問題があった。これを解決するために、例えば、ＰＯＳ端末の表示部に決済データをＱＲコード化して表示させ、顧客にＱＲコードを読取らせることにより情報を提供することが考えられるが、通常、ＰＯＳ端末の表示部は、合計金額やお釣り等の文字列のみを表示するＶＦＤ等の専用の表示デバイスで構成され、ＱＲコード等の複雑なビットイメージを表示することができないという問題があった。
【０００４】
そこで、複雑なビットイメージを表示することができ、かつ個人情報を提供することなく顧客に決済データを取得させることができる表示装置、表示装置の制御方法およびプログラムを提供することをその課題としている。
【課題を解決するための手段】
【０００５】
本発明の表示装置は、決済処理に伴って表示され、購入商品の商品名または商品コードと、商品価格とを含む表示用データを受信する受信手段と、表示用データの少なくとも一部をテキストデータとして表示するテキストデータ表示部と、表示用データの少なくとも一部をコード化したシンボル画像を表示するシンボル画像表示部と、受信した表示用データに、特定データが含まれるか否かを判別する判別手段と、判別手段が、特定データを含むと判別した場合、表示用データの少なくとも一部に基づいてシンボル画像を生成するシンボル画像生成手段と、表示用データの少なくとも一部をテキストデータとしてテキストデータ表示部に表示させると共に、シンボル画像生成手段が生成したシンボル画像をシンボル画像表示部に表示させる表示制御手段と、を備えたことを特徴とする。
【０００６】
本発明の表示装置の制御方法は、決済処理に伴って表示され、購入商品の商品名または商品コードと、商品価格とを含む表示用データの少なくとも一部をテキストデータとして表示するテキストデータ表示部と、表示用データの少なくとも一部をコード化したシンボル画像を表示するシンボル画像表示部と、を備えた表示装置の制御方法において、表示装置が、表示用データを受信するステップと、受信した表示用データに、特定データが含まれるか否かを判別するステップと、判別手段が、特定データを含むと判別した場合、表示用データの少なくとも一部に基づいてシンボル画像を生成するステップと、表示用データの少なくとも一部をテキストデータとしてテキストデータ表示部に表示させると共に、シンボル画像生成手段が生成したシンボル画像をシンボル画像表示部に表示させるステップと、を実行することを特徴とする。
【０００７】
これらの構成によれば、受信した表示用データに基づいて、テキストデータを表示するテキストデータ表示部の他に、複雑なビットイメージを表示するためのシンボル画像表示部を備えたため、テキストデータと共に、２次元コード等のシンボル画像を表示させることができる。なお、ここで言う表示用データとは、購入商品の商品名または商品コードおよび商品価格等の決済データのみならず、シンボル画像を生成するためのデータ（ＵＲＬ等）を含むものである。また、外部装置から受信した表示用データに、特定データが含まれない場合には、合計金額やお釣り等のテキストデータをテキストデータ表示部に表示させ、特定データが含まれる場合には、表示用データからシンボル画像を生成してシンボル画像表示部に表示させることができる。つまり、例えば、購入商品の各種情報のアップロード先となるＵＲＬを示す文字列の頭（「ｈｔｔｐ：／／」等）を予め、特定データとして表示装置に登録しておけば、表示装置は、このＵＲＬを示す特定データを受信すると、表示用データからシンボル画像（例えば、ＱＲコード）を自動的に生成し、顧客は、シンボル画像を読取る機能を備えた携帯端末により、ＵＲＬにアクセスして商品名または商品コードや合計金額を含む決済データを電子データとして取得できる。これにより、レシートに記載された内容を手入力する場合と比較して、商品購入後に自宅の家計簿ソフト等への入力が容易となる。また、表示用データのみを受信すればよく、表示装置が比較的容量の大きなイメージデータを受信する必要がないため、簡易な構成かつ低コストで表示装置を製造することができる。さらに、顧客がシンボル画像を読み取ることにより決済データを取得するため、店舗側に個人情報を登録する必要がなく、顧客は安心して店舗から決済データを取得できる。一方、店舗は個人情報の管理をすることなく、顧客に決済データを提供することができる。なお、テキストデータ表示部とシンボル画像表示部は、別々の表示デバイスで構成としてもよいし、同一の表示デバイスで表示領域を分ける構成としてもよい。さらに、既存のＶＦＤ形式の表示デバイスに、ドットマトリクス形式の表示デバイスを追加する構成としてもよい。これにより、既存のテキストデータ表示用の表示デバイスを利用してコストを削減することができる。
【０００８】
この場合、シンボル画像表示部を回動自在に支持する支持台と、支持台に対してシンボル画像表示部の回動角度を調整する角度調整手段と、をさらに備えたことが、好ましい。
【０００９】
この構成によれば、角度調整手段により支持台に対してシンボル画像表示部の回動角度を調整することにより、シンボル画像表示部を顧客の携帯端末に対して読み取り易い向きに調整することができる。
【００１０】
この場合、シンボル画像表示部に対する近接物を検知する検知手段と、検知手段による検知結果に基づいて、シンボル画像表示部の輝度を調整する輝度調整手段と、をさらに備えたことが、好ましい。
【００１１】
この構成によれば、例えば、検知手段が顧客の携帯端末の近接を検知したときに、シンボル画像の輝度を上げることで、顧客の携帯端末でシンボル画像を読み取り易く表示させることができる。
【００１２】
この場合、シンボル画像生成手段がシンボル画像を生成したとき、シンボル画像表示部へのシンボル画像の表示を報知する報知手段をさらに備えたことが、好ましい。
【００１３】
この構成によれば、例えば、シンボル画像の点滅表示、電子音、音声等により、顧客にシンボル画像を表示したことを報知することで、顧客にシンボル画像の読取りを促すことができる。
【００１４】
この場合、報知手段は、検知手段による近接物の検知に伴って、報知を停止することが、好ましい。
【００１５】
この構成によれば、例えば、シンボル画像を点滅表示することにより報知する場合に、顧客が携帯端末をシンボル画像に近接させると、シンボル画像の点滅表示が停止されるため、シンボル画像の読取を妨げることがない。
【００１６】
本発明のプログラムは、コンピュータに、上記の表示装置の制御方法における各ステップを実行させることを特徴とする。
【００１７】
この構成によれば、複雑なビットイメージを表示することができ、かつ顧客に決済データを取得させることができるプログラムを提供することができる。
【発明を実施するための最良の形態】
【００１８】
以下、本発明の一実施形態に係る決済データ提供システムについて説明する。図１は、決済データ提供システム１のシステム構成を示すブロック図である。決済データ提供システム１は、購入商品の決済処理を行う１以上のＰＯＳ端末２（図示では１つ）と、ＰＯＳ端末２にネットワーク３を介して接続され、ＰＯＳ端末２を統括管理する本部サーバ４と、から構成されている。そして、ＰＯＳ端末２は、決済処理を行うＰＯＳ本体６と、ＰＯＳ本体６に接続され、購入商品の商品名または商品コードと、商品価格と、を含む決済データおよび２次元コード（シンボル画像）を表示する表示装置７と、で構成されている。この２次元コードは、ＰＯＳ本体６が決済処理する度に生成され、本部サーバ４における決済データのアップロード先を示すＵＲＬ情報が格納されたものである。そして、ＰＯＳ本体６が、本部サーバ４に決済データをアップロードすると、顧客は、２次元コード読取機能を有する携帯端末５で、表示装置７に表示された２次元コードを読み取り、読取ったＵＲＬ情報に基づいて本部サーバ４にアクセスし、本部サーバ４から決済データを取得する構成となっている。なお、本実施形態では、２次元コードを読取ることにより、本部サーバ４にアクセスする構成としたが、バーコードを読取ることにより、本部サーバ４にアクセスする構成としてもよい。なお、アップロード先は、本部サーバ４に限らず、別のサーバでもよいし、本部サーバ４の外付けの記憶媒体でもよい。
【００１９】
２次元コードとしては、ＱＲコード１１、Ｍａｘｉコード、Ｖｅｒｉコード、データマトリクス、ＰＤＦ４１７等があるが、本実施形態では、ＱＲコード１１が表示される場合について説明する。図４（ｂ）に示すとおり、ＱＲコード１１は、ＱＲコード１１の最小の単位であるセル１２（白黒の正方形）で構成された正方形のデータ領域１３と、データ領域１３の三隅に設けられ、位置検出および回転角度の認識に用いられる切り出しシンボル１４と、データ領域１３を囲むマージン領域１５とで構成されている。
【００２０】
本部サーバ４は、入出力インターフェース２１、ＣＰＵ２２(Central Processing Unit)、ＲＯＭ２３(Read Only Memory)、ＲＡＭ２４(Random Access Memory)およびＨＤＤ２５(Hard Disk Drive)を備え、これらは内部バス２６に接続されている。また、本部サーバ４は、通信インターフェース２７を更に備え、通信インターフェース２７は、入出力インターフェース２１に接続されている。また、ＨＤＤ２５は、商品マスタ３４（図２参照）を格納するマスタ格納領域３１および決済データを格納する決済データ格納領域３２を有している。
【００２１】
商品マスタ３４は、図２に示すように商品コードブロック３５、商品名ブロック３６、金額ブロック３７および在庫ブロック３８から構成され、各ブロックの情報が商品ごとに関連付けられている。ＰＯＳ端末２のＣＰＵ５２は、決済処理時に、商品マスタ３４から商品コード、商品名、金額に関する情報を抽出し、レシートへの印刷および表示装置７の表示に用いる商品情報を生成し、本部サーバ４へ決済データを送信する。
【００２２】
決済データ格納領域３２は、ＰＯＳ端末２からアップロードされた決済データを格納する領域であり、ＰＯＳ端末２が決済処理を行う度に、本部サーバ４が決済処理に対応して割り当てるものである。つまり、決済処理が行われる度に、本部サーバ４のレジストリに決済データ格納領域３２のディレクトリ情報が書き込まれる構成となっている。なお、このディレクトリ情報は、ＰＯＳ端末２から送信されたアップロード先を示すＵＲＬ情報であり、日付単位および時間単位で管理されている。
【００２３】
ＰＯＳ本体６は、入力デバイス４１と、入力デバイス４１の入力情報に基づき、本部サーバ４内の商品マスタ３４を参照して決済データを生成すると共に、印刷データを生成する制御部４２と、制御部４２に制御されて、当該印刷データに基づいてレシート上に印刷を行う印刷装置４３（レシート発行手段）と、を備えている。
【００２４】
入力デバイス４１は、キーボードやコードリーダであり、入力デバイス４１による入力またはバーコードリーダによる商品に付されたバーコードの読み取りによって、商品から入力情報を取得するものである。
【００２５】
制御部４２は、入出力インターフェース５１、ＣＰＵ５２、ＲＯＭ５３、ＲＡＭ５４、リアルタイムクロック５９およびＨＤＤ５５を備え、これらは内部バス５６に接続されている。また、ＰＯＳ本体６は、表示装置７と接続する接続インターフェース５８および本部サーバ４に接続する通信インターフェース５７を備えている。そして、入力デバイス４１、接続インターフェース５８および通信インターフェース５７は、入出力インターフェース５１に接続されている。
【００２６】
ＨＤＤ５５は、決済処理を行うと共に印刷データを生成するＰＯＳアプリケーション６７の他、不図示の店舗の店舗番号および店舗内のＰＯＳ端末番号を格納している。
【００２７】
ＰＯＳアプリケーション６７は、本部サーバ４から取得した商品情報や入力デバイス４１からの入力情報に基づいて決済データおよび印刷データを生成する共に、決済処理を示す決済ＩＤを生成するものである。決済ＩＤは、ＰＯＳアプリケーション６７のアプリケーションプログラムに従って、ＣＰＵ５２がリアルタイムクロック５９から現在日時を読み出し、店舗番号およびＰＯＳ端末番号に基づいて生成する。例えば、２００６年１１月１日の１４時２７分４６秒に店舗番号「０５」、端末番号「０８」のＰＯＳ端末２での決済処理については、決済ＩＤ「ＩＤ２００６１１０１−１４２７４６０５０８」を生成する。そして、さらに決済ＩＤに基づいて決済データのアップロード先（決済データ格納領域３２）を示すＵＲＬ情報を生成する（アドレス情報生成手段）。本実施形態では、「ｈｔｔｐ：／／ｗｗｗ．ｓｈｏｐＡＢＣ．ｃｏ．ｊｐ／ｒｅｃｅｉｐｔ＿２００６．１１．０１／ＩＤ２００６１１０１−１４２７４６０５０８」が生成される（図４（ａ）参照）。このＵＲＬ情報は、決済データ格納領域３２に関連付けられるため、決済データを日付単位および時間単位で管理する構成とすれば、決済データの管理が容易となる。例えば、本部サーバ４において、決済データの保管期間が１週間に設定されている場合、１週間経過後の決済データ格納領域３２を特定し易くなり、決済データの削除等の処理を容易に行うことができる。なお、決済ＩＤの生成は、顧客が容易に推測できないように、上記に示した生成手段に限らず、幾通りかの生成手段を用意し、適宜変更可能な構成としてもよい。
【００２８】
生成されたＵＲＬ情報は、表示装置７のディスプレイ７１に表示される表示用データに含めて、決済処理開始時に接続インターフェース５８を介して表示装置７に送信される他、決済処理終了時に通信インターフェース５７を介して本部サーバ４に送信される（アドレス情報送信手段）。
【００２９】
そして、ＵＲＬ情報が本部サーバ４に送信され、本部サーバ４によって決済データ格納領域３２が準備されると、ＰＯＳ本体６が、ＵＲＬ情報に基づいて本部サーバ４に決済データをアップロードする（アップロード手段）。そして、アップロードされた決済データは、準備された決済データ格納領域３２に格納される（決済データ格納手段）。つまり、決済データが本部サーバ４にアップロードされると、本部サーバ４のレジストリに、決済データ格納領域３２のディレクトリ情報に対応させて、アップロードされたファイル名が追記される構成となっている。また、ＰＯＳ本体６がその都度決済データをアップロードするのではなく、本部サーバ４がＰＯＳ本体６から送信されてくる決済処理結果のデータから顧客用の決済データを生成し、決済データ格納領域３２へ格納してもよい。
【００３０】
印刷装置４３は、制御部４２とのデータの送受信を行うデータ送受信部６１と、レシートの搬送を行う搬送部６２と、レシートの搬送に同期してレシートに印刷を行う印刷部６３と、レシートの印刷済み部分を切断する切断部６４と、これらを駆動する駆動部６５と、を備え、レシートプリンタとして機能する（図１参照）。印刷装置４３は、制御部４２から印刷データを取得して、レシートを発行する構成となっている。
【００３１】
なお、この場合、レシートに、表示装置７に表示されたＱＲコード１１を印刷する構成としてもよい。この構成により、精算時に、顧客がＱＲコード１１の読取り機能を持つ携帯端末５を持ち合わせていない場合でも、後でレシートに印刷されたＱＲコード１１を読取ることで決済データを取得することができる。さらに、レシートにＵＲＬ情報や認証ＩＤを印刷する構成としてもよい。ＵＲＬ情報を印刷することにより、ＱＲコード１１の読取機能を備えた携帯端末５を持たない顧客に対しても決済データを提供することができ、認証ＩＤを印刷することにより、本部サーバ４へのアクセスのセキュリティを高めることができる。
【００３２】
表示装置７は、図３に示すように、テキストデータを表示するテキストデータ表示部７６と、ＱＲコード１１を表示するシンボル画像表示部７７と、から成るディスプレイ７１と、ディスプレイ７１を水平方向に回動自在に支持する支持台７２と、シンボル画像表示部７７の下方に設置され、シンボル画像表示部７７に対する携帯端末５の近接を検知する近接センサ７３（検知手段）と、これらを制御する制御部４２と、から構成されている。
【００３３】
ディスプレイ７１は、正面左側に位置するテキストデータ表示部７６と、正面右側に位置するシンボル画像表示部７７と、から成り、テキストデータ表示部７６は、合計金額やお釣り等の文字列のみを表示するＶＦＤ形式の表示デバイスで構成され、一方、シンボル画像表示部７７は、ＱＲコード１１を表示するドットマトリクス形式の表示デバイスで構成されている。なお、テキストデータ表示部７６とシンボル画像表示部７７を一体として構成してもよい。この場合、ディスプレイ７１の表示部全体をドットマトリクス形式で構成し、テキストデータを表示する領域と、ＱＲコード１１を表示する領域と、を分けて表示させる。これにより、部品点数削減および組立て工数を削減することができる。さらに、既存のＶＦＤ形式のディスプレイとは別に、ドットマトリクス形式のディスプレイを追加する構成としてもよい。これにより、既存のディスプレイを利用できるため、２次元コード表示機能追加に要するコストを削減することができる。
【００３４】
支持台７２は、ディスプレイ７１に連なる回動軸８１と、回動軸８１を軸支する支持ベース８２と、回動軸８１を支持ベース８２に対して回動させる回動機構（図示省略）と、回動動作の駆動源となる駆動モータ（図示省略）と、から構成されている。駆動モータは、接続インターフェース５８を介してＰＯＳ本体６と接続されており、ＰＯＳ本体６からの命令により、回動機構を駆動してディスプレイ７１の回動角度の調整を行なう構成となっている（角度調整手段）。この構成により、店員は、シンボル画像表示部７７を顧客の携帯端末５に対して読み取り易い向きに調整することができる。なお、回動動作は必ず駆動モータを使う必要はなく、手動で回動動作させてもよい。さらに、ディスプレイ７１の表示部全体ではなく、シンボル画像表示部７７の部分のみが独立して回動角度を変えられる構造であってもよい。
【００３５】
近接センサ７３は、いわゆる反射型の光センサであり、検出対象物である携帯端末５に光を出射する発光素子８４と、検出対象物に反射された光を受光する受光素子８５と、を横並びに配設したもので構成されている。顧客が、携帯端末５をＱＲコード１１に近づけると、発光素子８４から出射された光が、携帯端末５に照射され、その反射光を受光素子８５が受光して、近接センサ７３が携帯端末５の近接を検知する。そして、近接センサ７３が携帯端末５の近接を検知すると、制御部４２が、シンボル画像表示部７７のバックライトを調整し、シンボル画像表示部７７の輝度を約１５％アップさせる構成となっている（輝度調整手段）。これにより、顧客に対し、ＱＲコード１１を読み取り易く表示させることができる。
【００３６】
制御部４２は、接続インターフェース９８、ＣＰＵ９２、ＲＯＭ９３およびＲＡＭ９４を備え、これらは内部バス９６に接続されている。ＲＯＭ９３内には、ファームウェアプログラム８７および文字コード変換テーブル８８が格納されている（図１参照）。また、ＲＯＭ９３内には、接続インターフェース９８が受信した表示用データからＱＲコード１１の生成対象を判別するための特定文字列が格納されている。
【００３７】
ファームウェアプログラム８７は、表示装置７全体の制御を行う制御プログラムの他、ＱＲコード生成アプリケーションを備えている。ＱＲコード生成アプリケーションは、ＰＯＳ本体６から接続インターフェース９８を介して受信したＵＲＬ情報をＱＲコード１１に変換するものである（シンボル画像生成手段）（図４（ａ）、（ｂ）参照）。接続インターフェース９８が表示用データを受信すると、ＣＰＵ９２は、ＲＯＭ９３内のＱＲコード生成アプリケーションのアプリケーションプログラムに従って、ＲＯＭ９３内に格納された特定文字列を読出し、表示用データにＲＯＭ９３内の特定文字列が含まれるか否かを判別する（判別手段）。つまり、「ｈｔｔｐ：／／」、「ｈｔｔｐｓ：／／」、「ｆｔｐ：／／」等の文字列を特定文字列として、予めＲＯＭ９３に格納しておき、ＣＰＵ９２が、受信した表示用データに特定文字列が含まれるか否かを判別し、当該特例文字列が含まれる場合には、受信した表示用データにＵＲＬ情報が含まれると判定する。そして、ＵＲＬ情報が含まれると判定した場合には、ＣＰＵ９２がＵＲＬ情報をＱＲコード１１に変換し、シンボル画像表示部７７に表示させる（表示制御手段）。さらに、ＵＲＬ情報以外の表示用データ（文字コード）を、ＲＯＭ９３内の文字コード変換テーブル８８を参照して、テキストデータに変換し、変換したテキストデータをテキストデータ表示部７６に表示させる（表示制御手段）。また、表示用データに特定文字列が含まれない場合は、表示用データを全てテキストデータに変換し、テキストデータ表示部７６に表示させる。
【００３８】
なお、ＱＲコード１１が生成された場合には、シンボル画像表示部７７へのＱＲコード１１の表示を報知する構成としてもよい（報知手段）。この場合、シンボル画像表示部７７にＱＲコード１１を点滅表示することにより、報知する構成としてもよいし、音声報知、電子音により報知する構成としてもよい。これにより、顧客に、携帯端末５によるＱＲコード１１の読み取りを促すことができる。さらに、近接センサ７３による携帯端末５の検知に伴って、報知を停止する構成にしてもよい。この構成によれば、ＱＲコード１１を点滅表示することにより報知する場合に、顧客が携帯端末５をＱＲコード１１に近接させると、ＱＲコード１１の点滅表示が停止されるため、顧客によるＱＲコード１１の読取を妨げることがない。
【００３９】
また、ＰＯＳアプリケーション６７によって生成されたＵＲＬ情報は、近接センサ７３が携帯端末５の近接を検知したときのみ、ＵＲＬ情報を本部サーバ４に送信する構成としてもよい。この構成により、決済データを取得する意思のない顧客用に本部サーバ４のＨＤＤ２５に、決済データ格納領域３２を確保する必要がない。このため、本部サーバ４のＨＤＤ２５容量を有効に活用することができる。
【００４０】
次に、決済データ提供システム１における決済データの提供方法について、図５のフローチャートを参照して説明する。
【００４１】
顧客が商品をレジカウンターに持参すると、キーボードによる入力またはバーコードリーダによるバーコードの読み取りによって入力情報を取得し、決済処理を開始する（Ｓ０１）。ＰＯＳ本体６は、決済処理開始時に決済ＩＤを生成し（Ｓ０２）、決済ＩＤに基づいて、ＵＲＬ情報をさらに生成する（Ｓ０３）。生成したＵＲＬ情報は、表示用データに含めて表示装置７に送信する（Ｓ０４）。ＰＯＳ本体６から表示装置７に表示用データが送信されると、表示装置７は、表示用データに特定文字列を含むか否かを判別する（Ｓ０５）。表示用データに特定文字列を含むと判定すると（Ｓ０５：Ｙｅｓ）、表示用データに含まれるＵＲＬ情報は、ＱＲコード１１に変換され、シンボル画像表示部７７に表示されると共に、テキストデータがテキストデータ表示部７６に表示される（Ｓ０６）。一方、特定文字列を含まないと判定すると（Ｓ０５：Ｎｏ）、テキストデータのみがテキストデータ表示部７６に表示される（Ｓ０７）。本実施形態では、決済処理開始時にＱＲコード１１が生成されるため、顧客は、決済処理中（レジ精算の待ち時間）にＱＲコード１１を読み取ることができ、順番待ちの他の顧客に迷惑をかけることがない。
【００４２】
顧客は、シンボル画像表示部７７に表示されたＱＲコード１１からＵＲＬ情報を携帯端末５で読み取り、読取られたＵＲＬ情報を携帯端末５に保存する（Ｓ０８）。決済処理が終了し、決済データを生成すると、ＰＯＳ本体６は、ＵＲＬ情報を本部サーバ４に送信する（Ｓ０９）。本部サーバ４は、受信したＵＲＬ情報に基づいて、決済データ格納領域３２を用意する（Ｓ１０）。ＰＯＳ本体６が、決済データを本部サーバ４にアップロードすると（Ｓ１１）、本部サーバ４は、アップロードされた決済データを決済データ格納領域３２に格納する（Ｓ１２）。そして、顧客は、随意の時に、携帯端末５に保存したＵＲＬ情報に基づいて、本部サーバ４にアクセスし、決済データをダウンロードする（Ｓ１３）。なお、決済ＩＤを生成するタイミングは、最初の商品のバーコードをバーコードリーダで読取ったときを基準としてもよいし、前の決済処理の終了時を基準としてもよい。
【００４３】
以上、本実施形態によれば、表示装置７は、テキストデータを表示するテキストデータ表示部７６の他に、複雑なビットイメージを表示するためのシンボル画像表示部７７を備えたため、ディスプレイ７１にテキストデータと共に、ＱＲコード１１を表示させることができる。また、シンボル画像表示部７７に本部サーバ４のＵＲＬ情報をコード化したＱＲコード１１が表示されるため、顧客は、携帯端末５により、ＱＲコード１１を読み取り、本部サーバ４にアクセスして決済データを電子データとして取得できる。これにより、レシートに記載された内容を手入力する場合と比較して、商品購入後に自宅の家計簿ソフト等への入力が容易となる。また、表示装置７は、ＰＯＳ端末２から表示用データのみを受信すればよく、比較的容量の大きなイメージデータを受信する必要がないため、簡易な構成かつ低コストで表示装置７を製造することができる。さらに、顧客がＱＲコード１１を読み取ることにより決済データ提供システム１から決済データを取得するため、店舗側に個人情報を登録する必要がなく、顧客は安心して店舗から決済データを取得できる。一方、店舗は個人情報の管理をすることなく、顧客に決済データを提供することができる。また、顧客が発行されたレシートを紛失しても、ＵＲＬにアクセスすることで決済データを取得することができる。さらに、店舗は、ＵＲＬで示されたサイトに、販売促進を目的とした付加情報を掲載することもできる。例えば、付加情報として、広告、関連企業へのＵＲＬ、お勧め商品の紹介、他の顧客の購入動向の紹介、会員登録のＵＲＬ等を掲載することもできる。
【００４４】
なお、本実施形態では、表示装置７が、ＰＯＳ本体６から受信した表示用データに基づいて、ＱＲコード１１を生成し、シンボル画像表示部７７に表示させる構成としたが、ＰＯＳ本体６が、ＱＲコード１１を生成し、シンボル画像表示部７７に表示させる構成としてもよい。これにより、表示装置７をシンプルな構成とすることができる。また、本実施形態ではＰＯＳ端末２を統括管理するのを本部サーバ４としたが、店舗にある店舗サーバや別のところにあるサーバであってもよい。
【００４５】
また、ＰＯＳ本体６は、必ずしもＵＲＬ情報を生成する必要はない。すなわち、店員が、顧客の意思を聞いた上で、若しくは会員カードの読み取りの有無等によって生成するか否かを判別してもよい。
【００４６】
さらに、上記の例に示した、決済データ提供システム１の各部（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００４７】
また、上記に示した実施例によらず、決済データ提供システム１の装置構成やさらにＵＲＬデータや決済データの構成やサーバへの送信タイミングなどの処理工程等について、本発明の要旨を逸脱しない範囲で、適宜変更も可能である。
【図面の簡単な説明】
【００４８】
【図１】決済データ提供システムのシステム構成図である。
【図２】商品マスタの一例を示す図である。
【図３】表示装置の正面模式図である。
【図４】（ａ）は、ＵＲＬ情報の一例を示す図であり、（ｂ）は、ＵＲＬ情報を変換したＱＲコードを示す図である。
【図５】決済データ提供システムによる決済データの提供処理のフローチャートである。
【符号の説明】
【００４９】
７…表示装置  １１…ＱＲコード（シンボル画像）  ７２…支持台  ７３…近接センサ（検知手段）  ７６…テキストデータ表示部  ７７…シンボル画像表示部
【図１】
2008139943.tif 000003
【図２】
2008139943.tif 000004
【図３】
2008139943.tif 000005
【図４】
2008139943.tif 000006
【図５】
2008139943.tif 000007